(57)【要約】  プリントジョブ処理システムはプリンタ（１０）と、ユーザーインターフェイス（２４）と、ジョブファイル受信部（１２）と、受信したジョブファイルから媒体仕様を取り出すとともに、該媒体仕様が前記プリンタ（１０）の特性及び／又は現在の状態と互換性があるか確認するように適合された媒体管理システム（２８）とを含み、前記媒体管理システム（２８）は、前記ジョブファイルの中で不可欠な媒体仕様が定義されているかどうかを確認し、定義されていない場合には前記ユーザーインターフェイス（２４）を通じて該仕様の全ての項目を定義するようにユーザーに求めるよう適合されている。
2018502377.tif 000002
【特許請求の範囲】
【請求項１】
プリンタと、
ユーザーインターフェイスと、
ジョブファイル受信部と、
受信したジョブファイルから媒体仕様を取り出すとともに、該媒体仕様が前記プリンタの特性及び／又は現在の状態と互換性があるか確認するように適合された媒体管理システムと、
を含むプリントジョブ処理システムであって、
前記媒体管理システムは、前記ジョブファイルの中で不可欠な媒体仕様が定義されているかどうかを確認し、定義されていない場合には前記ユーザーインターフェイスを通じて該仕様の全ての項目を定義するようにユーザーに求めるよう適合されている、システム。
【請求項２】
前記媒体管理システムは、不可欠な媒体仕様が定義されていない場合にこれらの仕様のためのデフォルト設定を採用するオプションを提供するように適合されている、請求項１に記載のシステム。
【請求項３】
前記システムは、印刷すべきデータのラスターイメージ処理を前記媒体仕様の取り出しが完了する前に開始するとともに、不可欠な媒体仕様が定義されていないことが分かった場合にはラスターイメージ処理を停止するよう構成されている、請求項１又は２に記載のシステム。
【請求項４】
前記システムは、印刷すべきデータのラスターイメージ処理を前記媒体仕様の取り出しが完了する前に開始するととともに、不可欠な媒体仕様が定義されていないことが分かった場合には、ユーザーがアラート受けて欠如している仕様を定義するまではデフォルト設定に基づいてラスターイメージ処理を継けるように構成されている、請求項１又は２に記載のシステム。
【請求項５】
前記システムは、受信したジョブファイルから媒体仕様を取り出し、その後にだけ印刷すべきデータのラスターイメージ処理を開始するように構成されている、請求項１又は２に記載のシステム。
【請求項６】
プリントジョブを処理する方法であって、当該方法は、
プリントジョブを受信するステップと、
前記プリントジョブから媒体仕様を取り出すステップと、
印刷のために用いられるプリンタの特性及び／又は現在の状態に対する前記媒体仕様の互換性を確認するステップと、
を含み、
前記ジョブファイル内で不可欠な媒体仕様が定義されているかどうかを確認し、定義されていない場合には該仕様の全ての項目を定義するようにユーザーに求めるステップを含む、方法。
【請求項７】
前記媒体仕様を取り出すステップはラスターイメージ処理ステップに含まれ、定義されていない媒体仕様が見つかった場合にはラスターイメージ処理が中断される、請求項６に記載の方法。
【請求項８】
前記媒体仕様を取り出すステップはラスターイメージ処理ステップに含まれ、定義されていない媒体仕様が見つかった場合には、ユーザーが定義されていない仕様の全ての項目を定義するまで、ラスターイメージ処理がデフォルト設定に基づいて続けられる、請求項６に記載の方法。
【請求項９】
印刷すべきイメージデータのラスターイメージ処理が始まる前に前記プリントファイルから媒体仕様が取り出される、請求項６に記載の方法。
【請求項１０】
プリンタのコントローラ上で実行された場合に、該コントローラに請求項６乃至９のいずれか一項に記載の方法を行わせるプログラムコードを含むソフトウェア製品。
【発明の詳細な説明】
【技術分野】
【０００１】
本発明はプリントジョブ処理システムに関する。当該プリントジョブ処理システムは、
プリンタと、
ユーザーインターフェイスと、
ジョブファイル受信部と、
受信したジョブファイルから媒体仕様（media  specifications）を取り出し、該媒体仕様は前記プリンタの特性及び／又は現在の状態と互換性があるか確認するように適合された媒体管理システムと、
を含む。
【背景技術】
【０００２】
特許文献１には既知のプリントジョブ処理システムの一例が記載されている。
【０００３】
デジタルプリンタでプリントジョブを印刷する場合、プリントデータは電子ファイルであるジョブファイル内で符号化されている。ジョブファイルは、一般にＰｏｓｔＳｃｒｉｐｔ（商標）、ＰＤＦ等の特定フォーマットのページ記述言語（ＰＤＬ）でセットアップされている。ジョブファイルはテキスト、ベクタ画像、写真又はビットマップデータ等の様々な種類のイメージコンテンツを含むとともに、とりわけ、用紙サイズ、紙質、色、表面コーティング等の印刷媒体の必要な特性を示す媒体仕様を含むジョブ設定を定義する特定のメタデータも含む。
【０００４】
一般に、デジタルプリンタのプリントエンジンはビットマップデータの形式で提示されているプリントデータ、即ち、印刷すべき各ページの個々のピクセルの密度及び／又は明度（color  value）を定義するデータしか処理することができない。そのため、ジョブファイルに含まれるイメージデータをラスターイメージ処理（ＲＩＰ）と呼ばれる処理によってビットマップ形式に変換する必要がある。ラスターイメージプロセッサは、ジョブファイルのページ毎にテキスト、ベクタ画像及び他のイメージコンテンツを解釈し、それらをページ大のビットマップに変換する。また、ラスターイメージプロセッサはジョブファイルから媒体仕様及び他のメタデータを取り出し、それらをプリントエンジンに転送するタスクを有する。
【０００５】
プリンタの局所的なユーザーインターフェイス又はネットワークを通じてプリントジョブ処理システムに接続された遠隔ワークステーションのユーザーインターフェイスのいずれかにメタデータが表示されると便利である。そのため、ユーザーは印刷プロセスを実際に始める前に設定を確認できる機会を有する。
【０００６】
ラスターイメージプロセッサによって取り出された媒体仕様は、プリンタの物理特性及び能力とコンフリクトがある媒体特性を定義するか又はプリンタでは現在利用不能なリソースを必要とすることがある。そのような場合、ユーザーはユーザーインターフェイスを通じてコンフリクトについての注意を受ける。それのため、ユーザーは媒体仕様を変更するか又は必要な媒体を間違いなく供給することができる。
【０００７】
他方、ジョブファイル内の媒体仕様が不完全であるか又は全く欠如していることがある。そのような場合、媒体管理システムが所定のデフォルト設定を自動的に挿入するのが一般的である。
【先行技術文献】
【特許文献】
【０００８】
【特許文献１】米国特許出願第２０１２／０２８７６４６号明細書
【発明の概要】
【発明が解決しようとする課題】
【０００９】
本発明は、印刷品質の劣化及びプリンタの誤作動のリスクを低減するプリントジョブ処理システム及び方法を提供することを目的とする。
【課題を解決するための手段】
【００１０】
本発明によれば、媒体管理システムは、ジョブファイル内で不可欠な媒体仕様が定義されているかどうかを確認し、定義されていない場合にはユーザーインターフェイスを通じて該仕様の全ての項目を定義する（complete）ようユーザーに求める（invite）ように適合されている。
【００１１】
ジョブファイル内の媒体仕様が不完全であり得ることにはいくつかの理由がある。
【００１２】
例えば、詳細な媒体仕様は、媒体管理システムで保存されているか又はネットワークを通じて管理システムがアクセス可能なカタログ（catalog）内で示されているのが一般的である。その場合、ジョブファイルは使用すべき媒体を指定する一意的な識別子を含んでいれば十分であり、詳細な仕様はカタログから自動的に読み出される。しかしながら、ジョブファイルを編集するユーザーがカタログ内で（まだ）見つけることができない種類の媒体を指定したいと望む場合、ユーザーは「カスタム媒体の定義」のオプションを選択して、例えば媒体の名前、種類、サイズ、重さ及び色並びに媒体シートがタブか挿入物か（a  tab  or  an  insert）の指定、周期の長さ、パンチ孔の数といった利用できる限りの媒体のパラメータを入力し得る。ジョブがプリンタに提出されると、媒体管理システムは、その媒体をカタログにはないものと認識し、それらを「一時的な媒体」として取り扱う。そのような状況では、ユーザーにとって利用可能なパラメータは不完全であったり、最適な条件下でプリントジョブを行うのに必要な重要な情報が欠如していたりすることがある。
【００１３】
そのような関連情報の重要な例としては媒体ファミリー（media  family）及び表面種類が挙げられる。
【００１４】
媒体ファミリーは正確な色のＲＩＰに必要なカラー出力プロファイルに関連している。媒体シート自体の色及び物理特性はカラー出力プロファイルに、即ち所望の色の印象を再現するためにシートへの配置が必要な基色（例えばＣＭＹＫ）の構成に影響を及ぼすことが背景にある。そのため、媒体ファミリーが明確に定義されておらず、代わりにデフォルト設定が用いられると、結果として得られる印刷品質は次善的なものとなる。
【００１５】
表面種類は、例えば媒体シートの片面若しくは両面がコートされているか又は全くコートされていないか、コートされている場合にはコーティングの材料及び／又は物理特性を定義し得る。これらのパラメータは、媒体シートがプリンタの処理ステップでどのように反応するか、とりわけプリンタのヒューズステーション（fuse  station）又はインク硬化ステーションでの加熱に対してどのように反応するかを決定する。これらのパラメータが正しくないと、印刷品質が劣化するだけでなくプリンタの破損若しくは摩耗の増大の発生又は不必要な電力消費の増大がもたらされ得る。
【００１６】
重要な媒体パラメータの別の例としては媒体シートの厚さ及び／又はシートが熱及び／又は湿気に晒された場合の膨張傾向が挙げられる。例えば、高品質なインクジェットプリンタでは、プリントヘッドは印刷の間に媒体の表面との間に非常に小さな間隙しかできないように配置され得る。その場合にシートの厚さとして不正確な値が取られるとプリントヘッドがシートに衝突してプリンタに重大なダメージを及ぼす。
【００１７】
ジョブファイル内の媒体仕様が不完全であり得る別の理由は、異なる印刷システムのために確立されたカタログの間で媒体仕様がインポート及びエキスポートされることに起因する。印刷システムの物理特性は、ある印刷システムでは特定の媒体特性は無関係であるためカタログに含まれていないが、別の印刷システムにとっては関連性がある。
【００１８】
例えば、カラー出力プロファイルに関連する上述の媒体ファミリーは白黒印刷システムにとっては無関係である。そのため、白黒印刷システムのカタログからカラー印刷システムのカタログに媒体仕様をインポートした場合、「媒体ファミリー」のパラメータは欠如している。
【００１９】
これらの状況の全てで、本発明は、少なくともユーザーに対して媒体パラメータの定義が不完全であることについて確実に注意を促す。そのため、ユーザーは媒体仕様を補完するか又はプリントジョブを中断することができる。
【００２０】
本発明に係る不完全なパラメータの定義についての注意を、コンフリクトについての注意の既知の概念と混同すべきでない。媒体パラメータの定義が不完全である場合、これは必ずしもコンフリクトが、少なくともシステムにとって予測可能なコンフリクトがあることをあることを意味するものではない。何故なら、コンフリクトを避けるために選択されたデフォルト設定を当然のごとく用いることが可能だからである。そのため、プリンタは一般に動作することが依然として可能であり、もたらされる唯一の結果は印刷品質が最適でなくなること及び／又は誤作動のリスクが高まることである。
【００２１】
本発明のより具体的な任意の特徴を従属項に示す。
【００２２】
媒体仕様が不完全であることについてユーザーが注意を受けた場合、ユーザーは品質が劣化するリスクがあるもののプリントジョブを処理できるようにデフォルト設定を確認する選択肢を依然として有する。
【００２３】
大量の、例えばページ数の多いプリントジョブを生産性の高い印刷システムで処理する場合、ジョブの最初のページはＲＩＰがまだ後続のページのリッピングを慌ただしく行っている間に既に印刷されているのが一般的である。そして、後続のページに異なる媒体を用いる場合、ＲＩＰは定義されていない媒体パラメータを印刷プロセスが既に始まっているときにしか検出することができない。その場合、ユーザーが媒体仕様を変更するか又は確認するまで印刷プロセスを一時的に中断することが好ましい。仕様が変更された場合、少なくともいくつかのページのためにＲＩＰプロセスを繰り返す必要があり得る。
【００２４】
別の実施形態では、ジョブファイル受信部及び媒体管理システムは、ジョブファイルから媒体仕様を予め、即ちＲＩＰ処理における時間のかかる変換が始まる前に取り出すことができるように配置され得る。その場合、プロセスフローの初期段階で既にユーザーは定義が不完全であることについての注意を受け得る。そのため、ジョブ全体をより効率的に処理することができる。
【００２５】
特性が異なる複数のプリンタをプリントジョブ処理システムが含む場合に不完全な媒体仕様が見つかると、欠如しているパラメータの影響が少ない別のプリンタにプリントプロセスの出力先を変更する選択肢もユーザーに与えられ得る。
【図面の簡単な説明】
【００２６】
図面を併用して実施形態の例を説明する。
【図１】図１は、本発明に係るプリントジョブ処理システムのブロック図である。
【図２】図２は、本発明の一実施形態に係る方法を説明するフロー図である。
【図３】図３は、本発明の変形実施形態に係る方法を説明するフロー図である。
【図４】図４は、本発明に係るシステムのユーザーインターフェイスに表示される表示画面の例である。
【図５】図５は、本発明に係るシステムのユーザーインターフェイスに表示される表示画面の例である。
【図６】図６は、本発明に係るシステムのユーザーインターフェイスに表示される表示画面の例である。
【図７】図７は、本発明に係るシステムのユーザーインターフェイスに表示される表示画面の例である。
【発明を実施するための形態】
【００２７】
複数のプリンタ１０を含むプリントジョブ処理システムをブロック図の形式で図１に示す。
【００２８】
受信部１２は、メモリスティック等を差し込むためのＵＳＢソケット等のローカル入力ポート１４又はＬＡＮ、インターネット等のネットワーク２０を通じてプリントジョブ処理装置をユーザーの遠隔ワークステーション１８に接続するネットワークポート１６のいずれかを通じてプリントジョブファイルを受信するために設けられている。
【００２９】
スケジューラー２２は、受信部１２を通じて受信された複数のプリントジョブをプリンタ１０での処理のためにスケジューリングするために設けられている。例えば、スケジューラーは、受信部１２によってプリントジョブが受信された順番で少なくともプリントジョブを事前にプリントキューに並べ得る。スケジューラー２２はローカルユーザーインターフェイス２４と通信する。通常、ローカルユーザーインターフェイス２４はプリンタの操作パネルに表示画面と入力キー及びコマンドキーとを含み得る。図示の例では、スケジューラーは、ネットワーク２０を通じて、別の（遠隔の）ユーザーインターフェイスとしての役割を果たすワークステーション１８とも通信し得る。
【００３０】
受信部１２はジョブファイルを受信すると直ちに受信したジョブファイルをジョブファイルインタープリター２６に転送する。ジョブファイルインタープリター２６ではジョブ設定を定義するメタデータがジョブファイルから取り出される。ジョブファイルはそれらがユーザーによって確認され得るようにユーザーインターフェイス２４及び／又はワークステーション１８で表示される。これらのジョブ設定はとりわけジョブのページを印刷するために用いられる媒体を特定するとともに、媒体カタログ（media  catalog）を参照することにより暗示的に又は明示的にこれらの媒体の関連パラメータを定義する媒体仕様を含む。
【００３１】
媒体管理システム２８はスケジューラー２２と通信し、プリンタ１０の物理特性及び現在の状態に対してジョブファイルインタープリター２６によって取り出された媒体仕様を確認する。該プリントジョブの出力先を別のプリンタに（例えば必要な媒体が既に載置されているプリンタ）に変えることでコンフリクトが解消されない場合は、このことについてユーザーインターフェイスを通じてユーザーに注意を促す。
【００３２】
さらに、以下でさらに詳細に説明するように、媒体管理システム２８は、スケジューラー２２によって選択されたプリンタ１０でのプリントジョブの処理に関連する媒体パラメータの全てがジョブファイル内の媒体仕様によって定義されているという意味合いで媒体仕様が完全かどうかを確認する。このプロセスでは、媒体管理システム２８は、局所的に保存されているか又は管理システムがネットワーク２０を通じてアクセス可能であるかのいずれかである媒体カタログ内のデータも参照する。所定のジョブファイルのための媒体仕様が不完全であることが分かると、ユーザーインターフェイス上での対応メッセージによりユーザーに再度注意を促す。
【００３３】
図示の例では、各プリンタ１０は、プリンタにアサインされたジョブファイル内のイメージデータをビットマップデータに変換するために自身のラスターイメージプロセッサ（ＲＩＰ）を有するものと仮定する。ＲＩＰでのイメージデータからビットマップデータへの変換はジョブのサイズに応じて多くの時間を要するのが一般的であるのに対して、ジョブファイルインタープリター２６でのメタデータの取り出しは比較的早いプロセスである。そのため、実質的に、ジョブファイルが受信部によって受信された直後にメタデータはユーザーインターフェイスで利用可能となる。そのため、ユーザーは即座にフィードバックを受けるため、かなりの時間を要するＲＩＰでの変換プロセスが完了するまで待つ必要なない。さらに、ラスターイメージ処理が即座に開始され得るため、ＲＩＰは、ユーザーがユーザーインターフェイス２４で（メタデータによって定義された）ジョブ設定をまだ確認しており設定が正しいか又は変更する必要があるかをまだ検討している間に既に動作している。そのため、少なくとも設定が正しいと判明された場合には、ジョブを取り扱うのに必要な合計時間は短縮される。
【００３４】
プロセスフローの一例を図２に示す。
【００３５】
ステップＳ１では、受信部１２でプリントジョブファイルが受信される。ステップＳ２で、ジョブファイルインタープリター２６は媒体仕様を取り出し、ステップＳ３で好適なプリンタを選択するスケジューラー２２に取り出した媒体仕様を送る。ステップＳ４では、媒体管理システム２８は、印刷のために選択されているプリンタの特性及び現在の状態と媒体仕様との間でコンフリクトがあるかどうかを確認する。コンフリクトがある場合（Ｙ）、ユーザーインターフェイスを通じてステップＳ５でユーザーに注意を促す。コンフリクトがないか又は少なくとも別のプリンタを選択することによって解決可能なコンフリクトがない場合（Ｎ）、管理システム２８は媒体仕様において関連する媒体パラメータ（relevant  media  parameters）で定義されてないものがあるかどうかをステップＳ６で確認する。この文脈で「関連する媒体パラメータ」とは、選択されたプリンタでプリントジョブが確実に最適な形で処理する上で知る必要があるパラメータである。
【００３６】
定義されていないパラメータがある場合（Ｙ）、ユーザーインターフェイスを通じてステップＳ７でユーザーに注意を促す。この注意は、欠如しているパラメータを特定するとともにユーザーにこれらのパラメータを入力することを求めるメッセージを含む。しかしながら、ユーザーはどのパラメータを入力すべきか分からないことがあるため、ユーザーには、媒体管理システムで予め決められたデフォルト設定に依拠する選択肢又は別の選択肢としてプリントジョブを完全に中断する選択肢が与えられる。
【００３７】
ステップＳ８では、定義されていないパラメータをユーザーが入力したか（Ｙ）否か（Ｎ）が確認される。
【００３８】
欠如しているパラメータの全てが挿入されると、完全な一式のパラメータに基づいてラスターイメージ処理及び印刷がステップＳ９で開始される。ユーザーがステップＳ８でデフォルト設定を続けると決定している場合（Ｎ）、ＲＩＰ及び印刷がステップＳ９で開始される前に、定義されてないパラメータのためにデフォルト仕様がステップ１０で設定される。
【００３９】
図３は変形プロセスフローを示す。この例では、プリントシステムは１つのプリンタのみを含み、媒体仕様の取り出しはＲＩＰの一部を形成するものと仮定する。
【００４０】
ステップＳ１１でジョブファイルが受信され、ステップＳ１２でＲＩＰが開始される。印刷すべき個々のページ毎のＲＩＰプロセスはそのページのための媒体仕様を取り出すステップＳ１３を含む。
【００４１】
そして、ステップＳ１４で媒体のコンフリクトの確認がなされる。コンフリクトが見つかった場合には（Ｙ）、ステップＳ１５でＲＩＰプロセスが停止されるとともにユーザーに注意を促す。印刷プロセスが既に開始されてコンフリクトが見つかったページに到達した場合にも印刷プロセスが一時的に中止される。
【００４２】
ステップＳ１４で媒体のコンフリクトがない場合には（Ｎ）、定義されていない媒体パラメータの確認がステップＳ１６でなされる。定義されていないパラメータがある場合（Ｙ）、ステップＳ１７でＲＩＰ処理（場合によっては印刷も）が停止されるとともにユーザーに注意を促す。
【００４３】
定義されていないパラメータがステップＳ１６で見つからなかった場合（Ｎ）、ＲＩＰ処理（場合によっては印刷も）がステップＳ１８で続けられる。
【００４４】
ステップＳ１７でユーザーに注意を促した場合、欠如しているパラメータをユーザーが入力したかどうかがステップＳ１９で確認される。欠如しているパラメータがユーザーによって入力された場合（Ｙ）、ステップＳ２０でＲＩＰプロセスが再開される。ステップＳ１９でユーザーによって特定されたパラメータはＲＩＰプロセスに影響をおぼすことがあり得る。その後、新たなパラメータが適用されるページの部分が既にリッピングされている（ripped）場合、そのページのためのＲＩＰプロセスを繰り返す必要があり得る。
【００４５】
ユーザーがデフォルト設定に依拠することをステップＳ１９で選択した場合は（Ｎ）、ステップＳ２０でＲＩＰが再開される前に、以前定義されていなかったパラメータのためのデフォルト仕様がステップＳ２１で設定される。
【００４６】
この変形例では、ＲＩＰをステップＳ１７で停止する代わりに、デフォルト設定を用いてＲＩＰを続けてもよい（しかしながら、デフォルトパラメータに基づいてリッピングされているページに到達した場合には印刷を停止することが好ましい）。そして、ステップＳ１９で仕様が変更された場合、デフォルト設定に基づいて得られたＲＩＰの結果を破棄する必要がある。他方、ステップＳ１９及びＳ２１でデフォルト設定が確認された場合、時間のロスなしにＲＩＰが続けられ得る。
【００４７】
図４は、印刷プロセスの現在の状態及び取るべき必要がある動作をユーザー又は他のオペレータに通知するためにユーザーインターフェイス２４（又はワークステーション１８）の表示装置に表示される画面３０の簡略例である。
【００４８】
上側の左角にあるフィールド３２は現在印刷されているジョブ（「ジョブＡ」）を示す。上側の右角のフィールド３４は、次に必要になる次回の動作をユーザー又はオペレータに通知する。この例では、必要な動作は、重さが１００ｇ／ｍ２のＡ１サイズの媒体シートを装填することである。媒体シート（又はそれらが属する媒体カタログ）の材料は「トップカラー」であり、その色は「白」である。
【００４９】
画面３０の下部の「スケジューリングされたジョブ」なる見出しの下には、印刷される順番に並んだ印刷スケジューリングされているジョブの全て（本例ではジョブＡ、ジョブＢ及びジョブＣ）の一覧を示す表がある。この表の他の欄にはジョブに含まれるページ数、印刷すべき部数、ジョブが提出された時間、印刷プロセスの予定時間及びここでの関心事であるジョブを印刷するために用いられる媒体がジョブ毎に示される。表の二行目、即ち「ジョブＢ」のための行の「使用媒体」の欄では、フィールド３４の告知に従って、そのジョブのために必要な媒体が現在プリンタに存在せず装填が必要であることをアイコン３６が示す。
【００５０】
表の最後の行（ジョブＣ）の最も左の欄にある警告シンボル３８はユーザー又はオペレータがそのジョブに注意する必要があることを示す。「使用媒体」の欄にある別の警告シンボル４０はとりわけ注意が必要な媒体仕様であることを示す。シンボル４０を含むフィールド内のテキストはそのジョブのための媒体パラメータの一部を示す。これは媒体仕様が完全には欠如していないことを意味する。媒体カタログ（「山田太郎の媒体」）、用紙サイズ（Ａ４）、重さ（１００ｇ／ｍ２）、表面仕上げ（光沢）及び色（白）等のパラメータが定義されている。しかしながら、最適な処理のために必要な一部のパラメータが欠如している。このメッセージはポップアップウィンドー４２でも伝達される。そのため、シンボル３８及び４０並びにポップアップウィンドー４２により、媒体管理システム２８はジョブＣのための関連する媒体パラメータの少なくとも１つが欠如していることについてユーザーに注意を促す。ジョブＣを選択し、画面３０のボタン４４（「プロパティー」）をクリックすることによってより詳細な情報を得ることができる。
【００５１】
このボタン４４をクリックすることにより、図５に示すように別の画面４６が表示される。画面４６は、既に説明したウィンドー３２及び３４に隣接してウィンドー４８及び５０を含む。ウィンドー４８及び５０は、当該技術分野で一般的に知られているように、コピーが印刷される元のドキュメントのより具体的な特性及びプリントジョブの他の特性を伝達する。
【００５２】
別のウィンドー５２は、所望の出力のための一般的なジョブ設定、例えば拡大倍率、片面又は両面コピー、ステープル留め又は非ステープル留め等を定義するパラメータを定義する複数のタイル５４を含む。これらのタイルのうちの参照符号５６を付した１つのタイルはジョブファイルに含まれるか又はジョブファイル内で示される媒体カタログから類推される媒体仕様を示す。
【００５３】
画面４６はジョブの最初のページのサムネール５８と、警告シンボル４０及び利用可能な媒体パラメータを含む画面３０（図４）からのフィールドのコピーである別のポップアップウィンドー６０をさらに含み、とりわけ注意を払う必要があるのはタイル５６（「媒体」）であることを示す。
【００５４】
タイル５６をクリックすることにより、ユーザーは図６に示す別の画面６２を呼び出すことができる。この画面６２は、欠如している媒体パラメータを特定する別のポップアップウィンドー６４を示す以外は画面４６と同一である。この例では、２つのパラメータが、即ち表面の種類及び媒体ファミリーが欠如している。
【００５５】
ウィンドー６４は、ユーザーが欠如しているパラメータを入力し得るフィールド６６及び６８を含む。図示の例では、表面種類のためのフィールド６６が（ハッチングで示すように）アクティブ状態にされており、その結果としてフィールド６６のための利用可能なオプションを示すためにメニュー７０がポップアップされている。このように、ユーザーは、媒体仕様の全ての項目を入力するよう求められる。
【００５６】
ボタン７２（「保存」）をクリックすることにより、フィールド６６及び６８への入力事項が新たな媒体パラメータとして保存される。フィールドが空欄のままにされると、そのフィールドにはデフォルト設定が自動的に入力される。
【００５７】
あるいは、ユーザーはボタン７４（「キャンセル」）を押して画面４６に戻るか又はボタン７６（「媒体変更」）を押してタイル５６内の媒体仕様を編集すること、即ち、完全に異なる種類の媒体に、例えば必要なパラメータの全てが利用可能な媒体に変更するができる（図５）。
【００５８】
図７は画面３０（図４）の変形版である画面３０ａを示し、欠如しているパラメータが入力された後の画面の外観を示す。警告シンボル３８及び４０並びにポップアップウィンドー４２は消えている。この修正されたパラメータを用いてＲＩＰ及び印刷プロセスが自動的に継けられるか又は再開される。
【００５９】
他方、ユーザーがパラメータを変更したくなくデフォルト設定の使用を続けることを希望する場合、ユーザーは図５に示す画面４６のボタン７８（「ＯＫ」）を押し得る。
【００６０】
図１に示す実施形態では、ボタン８０（「プリンターの変更」）をクリックすることにより、欠如しているパラメータが必要としないか又はあまり重要とならない別のプリンタに変更する選択肢が画面４６によって提供され得る。
【図１】
2018502377.tif 000003
【図２】
2018502377.tif 000004
【図３】
2018502377.tif 000005
【図４】
2018502377.tif 000006
【図５】
2018502377.tif 000007
【図６】
2018502377.tif 000008
【図７】
2018502377.tif 000009
【国際調査報告】
2018502377.tif 000010
2018502377.tif 000011